(57)【要約】      （修正有）【課題】内容物の固化による振出し口の目詰まりがなく、内容物を広範囲にわたって均一に振出すことができる使い勝手のよい振出しキャップを提供する。【解決手段】容器本体Ｂの口頚部Ｂ１に装着され、キャップ本体１の天面壁に設けられた振出し口３を通して該容器本体Ｂ内の内容物を振り出す振出しキャップにおいて、該容器本体Ｂの傾転もしくは反転姿勢でもって該振出し口３を開放する弁体４を備えたもので構成する。該弁体４は、該天面壁１ｂの外側で該振出し口３に当接、離隔可能な弁本体４ａと、一端が該弁本体４ａにつながり該振出し口３を通過して該弁本体４ａに吊り下げられる棒状部材４ｂと、該棒状部材４ｂの吊り下げ端につながる連係片とを有するものとし、弁本体４ａ同士を相互に一体連結させ、かつ、棒状部材４ｂ同士を該連係片４ｃを介して相互に切り離し可能に連結させる。【選択図】図１
2019116291.tif 000002
【特許請求の範囲】
【請求項１】
容器本体の口頚部に装着され、該容器本体の傾転もしくは反転姿勢での振出し操作によりキャップ本体の天面壁に設けられた振出し口を通して該容器本体内の内容物を振り出す振出しキャップであって、
前記キャップ本体は、前記容器本体の正位姿勢にて前記振出し口を封止する一方、該容器本体の傾転もしくは反転姿勢でもって該振出し口を開放する弁体を備え、
該弁体は、該天面壁の外側で該振出し口に当接、離隔可能な弁本体と、一端が該弁本体につながり該振出し口を通過して該弁本体に吊り下げられる棒状部材と、該棒状部材の吊り下げ端につながる連係片とを有し、該振出し口および該弁体は、それぞれ少なくとも２つずつ設けられており、そのうちの弁体については、弁本体同士が相互に一体連結され、かつ、棒状部材同士が該連係片を介して相互に切り離し可能に連結されたものからなることを特徴とする振出しキャップ。
【請求項２】
前記弁本体は、弁本体同士を相互に一体連結する連結片を有することを特徴とする請求項１に記載した振出しキャップ。
【請求項３】
前記振出し口は、その開孔形状が円形状からなり、前記弁体の弁本体は、該振出し口に合致する球状体からなることを特徴とする請求項１または２に記載した振出しキャップ。
【請求項４】
前記キャップ本体は、ヒンジを介して該キャップ本体に開閉可能につながるとともに、閉姿勢でもって前記弁本体を格納する蓋体を備え、該蓋体は、該弁本体の格納状態で該弁本体を前記振出し口に押し付け可能な凸部を有する請求項１〜３のいずれか１項に記載した振出しキャップ。
【発明の詳細な説明】
【技術分野】
【０００１】
本発明は、粉体や顆粒状の内容物、例えば、塩や砂糖、胡椒等の調味材、薬剤、化粧料等を適宜振り出すのに好適な振出しキャップに関するものである。
【背景技術】
【０００２】
粉体や顆粒状の内容物を振出す振出しキャップとしては、キャップの頂板に複数の孔（振出し口）を設け、該孔を通して容器内の内容物の振出しを可能とする、例えば、特許文献１に開示されたものが知られている。
【０００３】
かかる振出しキャップは、振出し口が下方へ向くように容器そのものを傾転あるいは反転させ、その状態を維持したまま振出し操作を行うことによって内容物を適量振出すものである。
【先行技術文献】
【特許文献】
【０００４】
【特許文献１】実公平１―８５２５号公報
【発明の概要】
【発明が解決しようとする課題】
【０００５】
ところで、この種の振出しキャップは、例えば、調理中等において振出された内容物が蒸気等に触れた場合に、振出し口で固化してしまい目詰まりを起しやすい不具合がある。また、盛り付けられた料理に調味材等を振り掛ける場合においては、内容物を広範囲にわたり均一に振出すのが容易でなく、使い勝手がよいとはいえないものであった。
【０００６】
本発明の課題は、内容物の固化により振出し口の目詰まりを回避することが可能で、しかも、広範囲にわたって内容物を均一に振出すことができる振出しキャップを提案するところにある。
【課題を解決するための手段】
【０００７】
本発明は、容器本体の口頚部に装着され、該容器本体の傾転姿勢もしくは反転姿勢での振出し操作によりキャップ本体の天面壁に設けられた振出し口を通して該容器本体内の内容物を振り出す振出しキャップであって、前記キャップ本体は、前記容器本体の正位姿勢にて前記振出し口を封止する一方、該容器本体の傾転姿勢もしくは反転姿勢でもって該振出し口を開放する弁体を備え、該弁体は、該天面壁の外側で該振出し口に当接、離隔可能な弁本体と、一端が該弁本体につながり該振出し口を通過して該弁本体に吊り下げられる棒状部材と、該棒状部材の吊り下げ端につながる連係片とを有し、前記振出し口および前記弁体は、それぞれ少なくとも２つずつ設けられており、そのうちの弁体については、弁本体同士が相互に一体連結され、かつ、該棒状部材が該連結片を介して切り離し可能に連結されたものからなることを特徴とする振出しキャップである。
【０００８】
上記の構成からなる振出しキャップにおいては、弁本体は、弁本体同士を相互に一体連結する連結片を有すること、振出し口の開孔形状が円形状からなり、前記弁体の弁本体は、該振出し口に合致する球状体からなること、また、キャップ本体は、ヒンジを介して該キャップ本体に開閉可能につながるとともに、閉姿勢でもって前記弁本体を格納する蓋体を備え、該蓋体は、該弁本体の格納状態で該弁本体を前記振出し口に押し付け可能な凸部を有することが、課題を解決するための具体的手段として好ましい。
【発明の効果】
【０００９】
本発明の振出しキャップによれば、内容物の振出しに際して内容物が弁本体の外表面に沿って振出されるため、振出しにかかる内容物は広範囲にわたり均一に分散する。また、本発明の振出しキャップによれば、弁本体に弁本体同士を相互に一体連結する連結片を設けたため、内容物の振出し時に弁体同士の動きを一致させることが可能であり、各振出し口から振出される内容物の量を同量とすることができる。
【００１０】
また、本発明によれば、内容物の振出しに際して棒状部材が振出し口において往復移動するため、振出し口において内容物が固化したとしても、固化した内容物は振出し口から随時掻き落とされることとなり、振出し口が目詰まりを起すことがない。
【００１１】
さらに本発明によれば、蓋体を閉じた状態では、蓋体に設けられた凸部により弁本体が振出し口に押し付けられるため、容器本体は気密性が高められる。
【図面の簡単な説明】
【００１２】
【図１】本発明にしたがう振出しキャップの実施の形態を模式的に示した図であり、（ａ）は、平面図、（ｂ）は、（ａ）のＡ−Ａ断面図、（ｃ）は、（ｂ）の底面の要部を示した図である。
【図２】本発明にしたがう振出しキャップの弁体のみを取り出して示した拡大断面図である。
【図３】本発明にしたがう振出しキャップの断面を示した図である。
【図４】本発明にしたがう振出しキャップの使用状況を示した図である。
【発明を実施するための形態】
【００１３】
以下、図面を用いて本発明をより具体的に説明する。
図１（ａ）〜（ｃ）は、本発明にしたがう振出しキャップの実施の形態を模式的に示した図であり、（ａ）は平面図、（ｂ）は（ａ）のＡ−Ａ断面図、（ｃ）は、（ｂ）の底面を要部について示した図である。本発明にしたがう振出しキャップは、合成樹脂を素材として射出成形法等を適用して成形されるが、材質や成形方式についてはとくに限定されない。
【００１４】
図１（ａ）〜（ｃ）における符号１は、振出しキャップのキャップ本体である。このキャップ本体１は、容器本体Ｂの口頚部Ｂ１を取り囲む環状周壁１ａと、該環状周壁１ａの上端部に一体連結する天面壁１ｂから構成されており、環状周壁１ａの内壁面には、容器本体Ｂの口頚部Ｂ１に設けられたねじ部に螺合可能なねじ部１ｃが設けられている。
【００１５】
キャップ本体１は、容器本体Ｂの口頚部Ｂ１のねじ部に螺合させることによって装着することができるものの他、アンダーカットの如き嵌合手段を適用して装着することも可能であり、この点は限定されることはない。なお、ここでは、容器本体Ｂの全体形状については図示していないが、有底のボトル形状で下端部が載置面となっており、上部に口頚部Ｂ１を有するボトル形状等、種々の形状からなるものを用いることができる。
【００１６】
また、符号２は、キャップ本体１の天面壁１ｂに設けられた隆起部である。この隆起部２は、天面壁１ｂを貫通する貫通路２ａを有し天面壁１ｂの上において略半円形の輪郭形状を形成して起立する周壁２ｂと、この周壁２ｂの上端部に水平状態で一体連結する天板２ｃからなっている。
【００１７】
また、３は、隆起部２の天板２ｃに設けられた円形状をなす振出し口である。この振出し口３は、振出しキャップの前後（図１（ａ）〜（ｃ）において紙面左側を前、右側を後、紙面上側を右、紙面下側を左とする）に２つ設けてこれを一組とし、この一組みを振出しキャップの左右に等間隔で３列配列させて構成されたもの（合計６個）を例として示してある。振出し口３の個数や形状、配列状況は、振出すべき内容物の性状により種々変更可能であって図示のものに限定されない。また、振出し口３の大きさは、例えば、振出しキャップの前側で大きくし、後側で小さく設定する等、内容物の種類、性状や吐出させたい量によって前後左右で種々変更することができる。
【００１８】
また、符号４は、キャップ本体１の振出し口３に設けられた弁体である。この弁体４は、振出し口３の個数、配列状態に合わせ、合計６個で構成されている。この弁体４は、容器本体Ｂの正位姿勢（正位姿勢とは、容器本体Ｂの口頚部Ｂ１が上部に位置している図１（ｂ）に示すような状態をいうものとする）にて振出し口３を封止する一方で、容器本体Ｂの傾転もしくは反転姿勢でもって振出し口３を開放する機能を有している。
【００１９】
弁体４は、具体的には、天面壁１ｂの外側（上面側）に配置され、振出し口３に当接、離隔可能な球状体からなる弁本体４ａと、一端４ｂ１が弁本体４ａにつながり、振出し口３を通して該弁本体４ａに吊り下げられる棒状部材４ｂと、該棒状部材４ｂの吊り下げ端４ｂ２につながる連係片４ｃとから構成されている。棒状部材４ｂ、連係片４ｃは、いずれも矩形断面をなす板状片を用いることができるが、円形断面を有するものやその他の形状からなるものを用いてもよい。なお、弁本体４ａの形状は、球状に限らず、振出し口３の形状や大きさによって種々変更可能である。
【００２０】
弁体４のうち、弁本体４ａは、連結片４ｄを介して相互に一体連結されており、棒状部材４ｂは、隣り合うもの同士が連係片４ｃを介して相互に切り離し可能に連結されている。ここで、隣り合うとは、振出しキャップの前後において棒状部材４ｂが隣り合う場合、振出しキャップの左右において棒状部材４ｂが隣り合う場合のいずれをも含むものとするが、図示した振出しキャップにおいて隣り合うもの同士とは、棒状部材４ｂが振出しキャップの前後において隣り合っている場合を意味する。なお、棒状部材４ｂは、振出しキャップの左右において隣り合うもの同士を連係片４ｃを介して連結させてもよく、この点はとくに限定されない。
【００２１】
棒状部材４ｂと連係片４ｃは薄肉部（ヒンジ部）４ｅを介して連結しておくのが好ましく、これにより連係片４ｃを屈曲可能になっている。また、隣り合う棒状部材４ｂのうちの一方の連係片４ｃに開孔４ｆを設け、もう一方の棒状部材４ｂの連係片４ｃに該開孔４ｆに嵌合可能な突起４ｇを設けておくことにより棒状部材４ｂを切り離し可能に連結できるようになっている。図２に弁体４の組み付け前の状態を拡大して示す。なお、弁本体４ａは、その全てが連結片４ｄで連結しておくのが好ましいが、例えば、振出しキャップの前後のみで弁本体４ａ同士を一体連結したり、振出しキャップの左右側のみで弁本体４ａ同士を連結したり、あるいは放射状に連結する等、の構成を採用してもよく、弁本体４ａ同士の連結は任意に変更し得る。
【００２２】
また、５は、ヒンジｈを介してキャップ本体１に開閉可能につながる蓋体である。この蓋体５は、キャップ本体１の天面壁１ｂの外縁部に設けられた環状凹部１ｄに着脱自在に嵌合（アンダーカット嵌合）可能な凸部５ａを有する周壁５ｂと、この周壁５ｂの上端部に一体連結しその内側に周壁５ｂと協同して弁体４の格納空間を区画形成する天板５ｃと、振出しキャップの前面側で周壁５ｂに一体的に設けられ、蓋体５を開閉する際の手掛かりとして使用する指掛片５ｄから構成されている。蓋体５は、ドーム状型断面形状をなすものを例として示したが蓋体５の断面形状は図示のものに限定されない。
【００２３】
さらに、６は、蓋体５の天板５ｃの裏面に設けられ、蓋体５による弁本体４ａの格納状態で該弁本体４ａを振出し口３に押し付ける凸部である。図３に示すように、凸部６により弁本体４ａを振出し口３に押し付けることによって容器本体Ｂの気密性を高めることができるようになっている。
【００２４】
本発明にしたがう振出しキャップは、容器本体Ｂが正位姿勢の状態では、弁体４の弁本体４ａが振出し口３に当接しており、該振出し口３を封止しているが、容器本体Ｂを傾転あるいは反転姿勢に保持して振出し操作を行うと、図４に示すように、弁本体４ａが振出し口３から離れ（離隔）て該振出し口３が開放される。このとき、内容物は、弁本体４ａの外表面に沿って振出され、広範囲にわたり均一に分散されることになる。
【００２５】
振出し操作を繰り返すことにより、棒状部材４ｂは振出し口３において往復移動することとなり、その部位で内容物が固化するような状況におかれたとしても、固化した内容物は、棒状部材４ｂにより随時掻き落とされることになり振出し口３が目詰まりするのを回避することができる。
【００２６】
本発明では、弁本体４ａの全てを連結片４ｄを介して一体連結し、棒状部材４ｂを連係片４ｃを介して切り離し可能に連結した構造としているため、弁体４を単一部材で成形できる利点があり、部品点数を削減して構造の簡素化が可能になるとともに、キャップ本体１への、弁体４の組み付けが簡単に行える。また、かかる構造によれば、内容物の振出し時に全ての弁体４の動きを一致させることが可能となり、内容物をより一層均一に分散させ得る。
【産業上の利用可能性】
【００２７】
本発明によれば、内容物の固化による振出し口の目詰まりを回避することが可能となるだけでなく、内容物を広範囲にわたり均一に振出し得る使い勝手のよい振り出しキャップが提供できる。
【符号の説明】
【００２８】
１      キャップ本体
１ａ    環状周壁
１ｂ    天面壁
１ｃ    ねじ部
１ｄ    環状凹部
２      隆起部
２ａ    貫通路
２ｂ    周壁
２ｃ    天板
３      振出し口
４      弁体
４ａ    弁本体
４ｂ    棒状部材
４ｂ１  一端
４ｂ２  吊り下げ端
４ｃ    連係片
４ｄ    連結片
４ｅ    薄肉部
４ｆ    開孔
４ｇ    突起
５      蓋体
５ａ    凸部
５ｂ    周壁
５ｃ    天板
５ｄ    指掛片
６      凸部
Ｂ      容器本体
Ｂ１    口頚部
ｈ      ヒンジ
【図１】
2019116291.tif 000003
【図２】
2019116291.tif 000004
【図３】
2019116291.tif 000005
【図４】
2019116291.tif 000006